(57)【要約】【課題】少量或いは比較的軽量な野菜類や食品の最適組み合わせを測定指示し、作業効率を改善した組み合わせ計量機及び計量方法を実現する。【解決手段】複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップする組み合わせ計量機において、該計量皿は下段に配置される第一の計量皿と上段に配置される第二の計量皿を含む複数の計量皿で構成され、該第二の計量皿は、載置された対象物品とともに本体から分離して用いられるようにする。【選択図】図１
2018105677.tif 000002
【特許請求の範囲】
【請求項１】
複数の重量計測部位と、
該複数の重量計測部位における測定重量データを取得し、これらから組み合わせ重量を計算する手段と、
該組み合わせ重量が規定重量以上であり且つ最小となる最適組み合わせを計算する手段と、
該選択された最適組み合わせの重量計測部位を示す指示機構を有し、
作業者が前記指示に則り最適組み合わせに該当する物品をピックアップする組み合わせ計量機において、
該計量皿は下段に配置される第一の計量皿と上段に配置される第二の計量皿を含む複数の計量皿で構成され、
該第二の計量皿は、載置された対象物品とともに本体から分離して用いられることを特徴とする、
組み合わせ計量機。
【請求項２】
該組み合わせ計量機の夫々の計量部は計量素子としてロードセルを用い、
該第一の計量皿及び該第二の計量皿を含む複数の計量皿を含む該組み合わせ計量機の夫々の計量部の計量部荷重は、
計測対象となる物品を載置しない場合の計量部荷重及び計測対象となる物品の目的重量を加えた計量部荷重の範囲が該ロードセルの定格容量の５０％以上１００％以下となるようにしたことを特徴とする、
請求項１記載の組み合わせ計量機。
【請求項３】
該組み合わせ計量機の夫々の計量部は計量素子としてロードセルを用い、
該第一の計量皿及び該第二の計量皿を含む複数の計量皿を含む該組み合わせ計量機の夫々の計量部の計量部荷重は、
計測対象となる物品を載置しない場合の計量部荷重及び計測対象となる物品の目的重量を加えた計量部荷重の範囲が該ロードセルの定格容量の７０％以上９５％以下となるようにしたことを特徴とする、
請求項２記載の組み合わせ計量機。
【請求項４】
該第一及び第二の計量皿は、
載置方向の前後何れかの方向に傾きを持って設置されていることを特徴とする、
請求項１乃至３の何れか一に記載の組み合わせ計量機。
【請求項５】
該第一及び第二の計量皿は、
載置方向の前後何れかの方向に傾きを持って設置され、
且つ、傾斜の低い側の端面に立ち上がり部が設けられてなることを特徴とする、
請求項４記載の組み合わせ計量機。
【請求項６】
該第二の計量皿は、
載置方向の両側面に立ち上がり部を有するものを用いたことを特徴とする、
請求項１乃至５の何れか一に記載の組み合わせ計量機。
【請求項７】
該第二の計量皿は、
さらに両側が一方向に向かって幅が狭くなっていく形状を有するものを用いたことを特徴とする、
請求項６記載の組み合わせ計量機。
【請求項８】
該組み合わせ計量機の計量皿は、
樹脂製であることを特徴とする、
請求項１乃至７の何れか一に記載の組み合わせ計量機。
【請求項９】
該組み合わせ計量機の計量部は、
一列に配置されてなり、
且つ、各列の計量皿の両側に指示機構が備えられ、
各計量皿に関する指示が両側に対して同時に行われることを特徴とする、
請求項１乃至８の何れか一に組み合わせ計量機。
【請求項１０】
該第二の計量皿は、
合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されたことを特徴とする、
請求項８記載の組み合わせ計量機。
【請求項１１】
該組み合わせ計量機は、
重量計測部位における測定重量データを取得し、該重量が規定重量以上であり且つ許容範囲内であることを計算する手段と、
該重量が前記範囲内であることを示す指示機構を有し、
該計量部は夫々計量皿部とロードセルによる計量部を含む本体部の連結部に防水構造を備えてなり、
該連結部の防水構造は合成樹脂薄膜を備え、
該合成樹脂薄膜は本体の計量皿側表面に接着剤で接着固定され、
該合成樹脂薄膜の粘弾性により計量に影響を与えることなく防水機能を備えることを特徴とする、
請求項１乃至１０のいずれか一に記載の組み合わせ計量機。
【請求項１２】
該組み合わせ計量機において、
該選択された最適組み合わせが存在しない場合、近似値の範囲に包含される重量組み合わせの重量計測部位を指示することを特徴とする、
請求項１乃至１１のいずれか一に記載の組み合わせ計量機。
【請求項１３】
該組み合わせ計量機において、
該選択された最適組み合わせ或いは近似値の範囲に包含される重量組み合わせの重量計測部位を示す指示機構が灯火によるものであって、
該選択された最適組み合わせの重量計測部位を示す場合は指示機構の灯火が連続点灯し、
該近似値の範囲に包含される重量組み合わせの重量計測部位を示す場合は指示機構の灯火が点滅することを特徴とする、
請求項１２記載の組み合わせ計量機。
【請求項１４】
該組み合わせ計量機において、
該選択された最適組み合わせ或いは近似値の範囲に包含される重量組み合わせの重量計測部位を示す指示機構が多色に点灯する着色灯火であって、
該選択された最適組み合わせの重量計測部位を示す場合の指示機構の点灯色と、
該近似値の範囲に包含される重量組み合わせの重量計測部位を示す場合の指示機構の点灯色が異なることを特徴とする、
請求項１３記載の組み合わせ計量機。
【請求項１５】
該組み合わせ計量機において、
該指示機構の灯火は、
ＬＥＤによることを特徴とする、
請求項１２乃至１４のいずれか一に記載の組み合わせ計量機。
【請求項１６】
該組み合わせ計量機において、
該選択された最適組み合わせ或いは近似値の範囲に包含される重量組み合わせの重量計測部位を示す指示機構は、
音声によることを特徴とする、
請求項１２記載の組み合わせ計量機。
【請求項１７】
該組み合わせ計量機において、
該選択された最適組み合わせ或いは近似値の範囲に包含される重量組み合わせの重量計測部位を示す指示機構は、
ブザー又はスピーカーであることを特徴とする、
請求項１６記載の組み合わせ計量機。
【請求項１８】
該組み合わせ計量機において、
規定重量範囲内の最適組み合わせが存在しない場合であって近似値の範囲に包含される重量組み合わせに係る組み合わせ重量を表示する表示機構は、
デジタル表示装置であることを特徴とする、
請求項１２乃至１５の何れか一に記載の組み合わせ計量機。
【請求項１９】
該重量計測部位に用いる第二の計量皿は、サイズの異なる計量皿に交換して用いる事ができることを特徴とする、
請求項１乃至１８のうちのいずれか一に記載の防水機構を有する組み合わせ計量機。
【請求項２０】
該重量計測部位に用いる第二の計量皿は、サイズの異なる計量皿を混在して用い、
親子計量ができることを特徴とする、
請求項１９記載の組み合わせ計量機。
【請求項２１】
該重量計測部位に用いる第二の計量皿は、形状の異なる計量皿に交換して用いる事ができることを特徴とする、
請求項１乃至１９のうちのいずれか一に記載の組み合わせ計量機。
【請求項２２】
複数の重量計測部位と、
該複数の重量計測部位における測定重量データを取得し、これらから組み合わせ重量を計算する手段と、
該組み合わせ重量が規定重量以上であり且つ最小となる最適組み合わせを計算する手段と、
該選択された最適組み合わせの重量計測部位を示す指示機構を有し、
作業者が前記指示に則り最適組み合わせに該当する物品をピックアップする組み合わせ計量機において、
該計量皿は下段に配置される第一の計量皿と上段に配置される第二の計量皿を含む複数の計量皿で構成され、
該第二の計量皿は、本体から分離して用いられることが可能であり、
該第二の計量皿の着脱により通常の野菜等の計量及び少量或いは比較的軽量な野菜類や食品の計量を容易に切り替え可能としたことを特徴とする、
組み合わせ計量機を用いた計量方法。
【請求項２３】
複数の重量計測部位と、
該複数の重量計測部位における測定重量データを取得し、これらから組み合わせ重量を計算する手段と、
該組み合わせ重量が規定重量以上であり且つ最小となる最適組み合わせを計算する手段と、
該選択された最適組み合わせの重量計測部位を示す指示機構を有し、
作業者が前記指示に則り最適組み合わせに該当する物品をピックアップする組み合わせ計量機において、
該計量皿は下段に配置される第一の計量皿と上段に配置される第二の計量皿を含む複数の計量皿で構成され、
該組み合わせ計量機の夫々の計量部は計量素子としてロードセルを用い、
該第一の計量皿及び該第二の計量皿を含む複数の計量皿を含む該組み合わせ計量機の夫々の計量部の計量部荷重は、
計測対象となる物品を載置しない場合の計量部荷重及び計測対象となる物品の目的重量を加えた計量部荷重の範囲が該ロードセルの定格容量の５０％以上１００％以下となるように設定され、
少量或いは比較的軽量な野菜類や食品の最適組み合わせを測定可能としたことを特徴とする、
組み合わせ計量機を用いた計量方法。
【請求項２４】
該組み合わせ計量機の夫々の計量部は計量素子としてロードセルを用い、
該第一の計量皿及び該第二の計量皿を含む複数の計量皿を含む該組み合わせ計量機の夫々の計量部の計量部荷重は、
計測対象となる物品を載置しない場合の計量部荷重及び計測対象となる物品の目的重量を加えた計量部荷重の範囲が該ロードセルの定格容量の７０％以上９５％以下となるようにしたことを特徴とする、
請求項２３記載の組み合わせ計量機を用いた計量方法。
【請求項２５】
該第一及び第二の計量皿は、
載置方向の前後何れかの方向に傾きを持って設置されていることを特徴とする、
請求項２２乃至２４の何れか一に記載の組み合わせ計量機を用いた計量方法。
【請求項２６】
該第一及び第二の計量皿は、
載置方向の前後何れかの方向に傾きを持って設置され、
且つ、傾斜の低い側の端面に立ち上がり部が設けられてなることを特徴とする、
請求項２５記載の組み合わせ計量機を用いた計量方法。
【請求項２７】
該第二の計量皿は、
載置方向の両側面に立ち上がり部を有するものを用いたことを特徴とする、
請求項２２乃至２６の何れか一に記載の組み合わせ計量機を用いた計量方法。
【請求項２８】
該第二の計量皿は、
さらに両側が一方向に向かって幅が狭くなっていく形状を有するものを用いたことを特徴とする、
請求項２７記載の組み合わせ計量機を用いた計量方法。
【請求項２９】
該組み合わせ計量機の計量皿は、
樹脂製であることを特徴とする、
請求項２２乃至２８の何れか一に記載の組み合わせ計量機を用いた計量方法。
【請求項３０】
該組み合わせ計量機の計量部は、
一列に配置されてなり、
且つ、各列の計量皿の両側に指示機構が備えられ、
各計量皿に関する指示が両側に対して同時に行われることを特徴とする、
請求項２２乃至２９の何れか一に組み合わせ計量機を用いた計量方法。
【請求項３１】
該第二の計量皿は、
合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されたことを特徴とする、
請求項２９記載の組み合わせ計量機を用いた計量方法。
【請求項３２】
該組み合わせ計量機は、
重量計測部位における測定重量データを取得し、該重量が規定重量以上であり且つ許容範囲内であることを計算する手段と、
該重量が前記範囲内であることを示す指示機構を有し、
該計量部は夫々計量皿部とロードセルによる計量部を含む本体部の連結部に防水構造を備えてなり、
該連結部の防水構造は合成樹脂薄膜を備え、
該合成樹脂薄膜は本体の計量皿側表面に接着剤で接着固定され、
該合成樹脂薄膜の粘弾性により計量に影響を与えることなく防水機能を備えることを特徴とする、
請求項２２乃至３１のいずれか一に記載の組み合わせ計量機を用いた計量方法。
【請求項３３】
該組み合わせ計量機において、
該選択された最適組み合わせが存在しない場合、近似値の範囲に包含される重量組み合わせの重量計測部位を指示することを特徴とする、
請求項２４乃至３２のいずれか一に記載の組み合わせ計量機を用いた計量方法。
【請求項３４】
該組み合わせ計量機において、
該選択された最適組み合わせ或いは近似値の範囲に包含される重量組み合わせの重量計測部位を示す指示機構が灯火によるものであって、
該選択された最適組み合わせの重量計測部位を示す場合は指示機構の灯火が連続点灯し、
該近似値の範囲に包含される重量組み合わせの重量計測部位を示す場合は指示機構の灯火が点滅することを特徴とする、
請求項３３記載の組み合わせ計量機を用いた計量方法。
【請求項３５】
該組み合わせ計量機において、
該選択された最適組み合わせ或いは近似値の範囲に包含される重量組み合わせの重量計測部位を示す指示機構が多色に点灯する着色灯火であって、
該選択された最適組み合わせの重量計測部位を示す場合の指示機構の点灯色と、
該近似値の範囲に包含される重量組み合わせの重量計測部位を示す場合の指示機構の点灯色が異なることを特徴とする、
請求項３４記載の組み合わせ計量機を用いた計量方法。
【請求項３６】
該組み合わせ計量機において、
該指示機構の灯火は、
ＬＥＤによることを特徴とする、
請求項３３乃至３５のいずれか一に記載の組み合わせ計量機を用いた計量方法。
【請求項３７】
該組み合わせ計量機において、
該選択された最適組み合わせ或いは近似値の範囲に包含される重量組み合わせの重量計測部位を示す指示機構は、
音声によることを特徴とする、
請求項３３記載の組み合わせ計量機を用いた計量方法。
【請求項３８】
該組み合わせ計量機において、
該選択された最適組み合わせ或いは近似値の範囲に包含される重量組み合わせの重量計測部位を示す指示機構は、
ブザー又はスピーカーであることを特徴とする、
請求項３７記載の組み合わせ計量機を用いた計量方法。
【請求項３９】
該組み合わせ計量機において、
規定重量範囲内の最適組み合わせが存在しない場合であって近似値の範囲に包含される重量組み合わせに係る組み合わせ重量を表示する表示機構は、
デジタル表示装置であることを特徴とする、
請求項３３乃至３６の何れか一に記載の組み合わせ計量機を用いた計量方法。
【請求項４０】
該重量計測部位に用いる第二の計量皿は、サイズの異なる計量皿に交換して用いる事ができることを特徴とする、
請求項２２乃至３９のうちのいずれか一に記載の防水機構を有する組み合わせ計量機を用いた計量方法。
【請求項４１】
該重量計測部位に用いる第二の計量皿は、サイズの異なる計量皿を混在して用い、
親子計量ができることを特徴とする、
請求項４０記載の組み合わせ計量機を用いた計量方法。
【請求項４２】
該重量計測部位に用いる第二の計量皿は、形状の異なる計量皿に交換して用いる事ができることを特徴とする、
請求項２２乃至４０のうちのいずれか一に記載の組み合わせ計量機を用いた計量方法。
【発明の詳細な説明】
【技術分野】
【０００１】
本発明は、野菜類や食品の最適組み合わせを測定指示し、作業効率を改善した組み合わせ計量機及びその組み合わせ計量機を用いた計量方法に関するものである。
【背景技術】
【０００２】
食品等の販売にあたっては、内容量を計量し、規定の量目を下回らないようにする必要がある。表示された量目を下回れば、購買者を欺くことになるからである。しかし、徒に規定の量目からかけ離れて多量の商品を入れれば、コストアップに繋がり不経済である。
【０００３】
かかる矛盾は基本的にそれぞれ大きさ、形、重量ともに均一でない農産物において顕著である。例えば野菜の販売においても１本、１個、１株といった単位で販売されることはほとんどなく、ある程度の量目で袋詰めして販売されることが主流であり、規定の量目を下回らず且つ最小となる組み合わせを計量することが求められる。
【０００４】
そこで、量産ベースの食品工場や大規模な出荷センターなどでは対象となる商品を自動搬送し、組み合わせ計量機に載置、規定の重量以上且つ最小となる組み合わせを計量して、これをホッパ等で選択的に排出して袋詰め等の包装まで行う自動機を導入し使用している例が多い。
【０００５】
しかし、個別の農家や小規模の出荷組合等に於いては大規模で高価な自動機の組み合わせ計量機を導入する余裕はなく、手作業による計量選別が行われているのが実情である。また、単体の計量機或いは組み合わせ計量機を問わず、計量対象に水滴の付着した野菜類、泥や土の付着した野菜類、水分含有量の多い食品類或いは軟弱な食品類に対応して、防水構造により水分及び／又は汚染物の測定部への侵入を防止し、安定した計測を行えるものは非常に高価な装置であり、個別の農家や小規模の出荷組合等に於いては導入が難しかった。
【先行技術文献】
【特許文献】
【０００６】
【特許文献１】特開平８ー３１３３３３号公報
【特許文献２】特開２００２ー１６６２３２号公報
【特許文献３】特開２００８ー２９２１９４号公報
【発明の概要】
【発明が解決しようとする課題】
【０００７】
個別の農家や小規模の出荷組合等に於ける作業には、手作業を効率化するための機器が求められているが、前記のような自動機はそのコストが非常に高く、導入することは困難である。
【０００８】
ここで、野菜類は販売にあたっての小分け計量の際に例えばじゃがいもや玉ねぎなどであれば１００グラムから３００グラム程度の量目となるが、例えばハーブ類などのように数グラムから２０グラム程度を計量する必要のあるものもある。また、本発明にかかる組み合わせ計量機は野菜類の計量のみに用いられるものではなく、食品一般、例えば海産乾物、ナッツ類、菓子類などの計量にも有効である。これら海産乾物や珍味等は１袋の重量が１０グラムから４０グラム程度のものが多く、これらにも対応することが求められていた。
【０００９】
しかし、計量機に用いるロードセルはその計量精度が保証される重量範囲に制限があり、例えば数百グラムの野菜類に対応できるロードセルを備えた計量機の場合、数グラムの計量に精度よく対応することは困難であり、一台の組み合わせ計量機により広範囲の計量対象に対応でき、且つ、安価な組み合わせ計量機が求められていた。
【課題を解決するための手段】
【００１０】
本発明は、複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップする組み合わせ計量機において、該計量皿は下段に配置される第一の計量皿と上段に配置される第二の計量皿を含む複数の計量皿で構成され、該第二の計量皿は、載置された対象物品とともに本体から分離して用いられることを特徴とする、組み合わせ計量機である。
【００１１】
また本発明は、該組み合わせ計量機の夫々の計量部は計量素子としてロードセルを用い、該第一の計量皿及び該第二の計量皿を含む複数の計量皿を含む該組み合わせ計量機の夫々の計量部の計量部荷重は、計測対象となる物品を載置しない場合の計量部荷重及び計測対象となる物品の目的重量を加えた計量部荷重の範囲が該ロードセルの定格容量の５０％以上１００％以下となるようにしたことを特徴とする。さらに本発明は、該組み合わせ計量機の夫々の計量部は計量素子としてロードセルを用い、該第一の計量皿及び該第二の計量皿を含む複数の計量皿を含む該組み合わせ計量機の夫々の計量部の計量部荷重は、計測対象となる物品を載置しない場合の計量部荷重及び計測対象となる物品の目的重量を加えた計量部荷重の範囲が該ロードセルの定格容量の７０％以上９５％以下となるようにしたことを特徴とする。
【００１２】
また本発明は、該第一及び第二の計量皿が、載置方向の前後何れかの方向に傾きを持って設置されていることを特徴とする。さらに本発明は、該第一及び第二の計量皿が載置方向の前後何れかの方向に傾きを持って設置され、且つ、傾斜の低い側の端面に立ち上がり部が設けられてなることを特徴とする。
【００１３】
また本発明は、該第二の計量皿が載置方向の両側面に立ち上がり部を有するものを用いたことを特徴とする。さらに本発明は、該第二の計量皿が両側が一方向に向かって幅が狭くなっていく形状を有するものを用いたことを特徴とする。
【００１４】
また本発明は、該組み合わせ計量機の計量皿が樹脂製であることを特徴とする。さらに本発明は、該第二の計量皿が合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されたことを特徴とする。
【００１５】
また本発明は、該組み合わせ計量機の計量部が一列に配置されてなり、且つ、各列の計量皿の両側に指示機構が備えられ、各計量皿に関する指示が両側に対して同時に行われることを特徴とする。
【００１６】
また本発明は、該組み合わせ計量機が、重量計測部位における測定重量データを取得し、該重量が規定重量以上であり且つ許容範囲内であることを計算する手段と、該重量が前記範囲内であることを示す指示機構を有し、該計量部は夫々計量皿部とロードセルによる計量部を含む本体部の連結部に防水構造を備えてなり、該連結部の防水構造は合成樹脂薄膜を備え、該合成樹脂薄膜は本体の計量皿側表面に接着剤で接着固定され、該合成樹脂薄膜の粘弾性により計量に影響を与えることなく防水機能を備えることを特徴とする。
【００１７】
また本発明は、該組み合わせ計量機において、該選択された最適組み合わせが存在しない場合、近似値の範囲に包含される重量組み合わせの重量計測部位を指示することを特徴とする。
【００１８】
また本発明は、該組み合わせ計量機において、該選択された最適組み合わせ或いは近似値の範囲に包含される重量組み合わせの重量計測部位を示す指示機構が灯火によるものであって、該選択された最適組み合わせの重量計測部位を示す場合は指示機構の灯火が連続点灯し、該近似値の範囲に包含される重量組み合わせの重量計測部位を示す場合は指示機構の灯火が点滅することを特徴とする。
【００１９】
また本発明は、該組み合わせ計量機において、該選択された最適組み合わせ或いは近似値の範囲に包含される重量組み合わせの重量計測部位を示す指示機構が多色に点灯する着色灯火であって、該選択された最適組み合わせの重量計測部位を示す場合の指示機構の点灯色と、該近似値の範囲に包含される重量組み合わせの重量計測部位を示す場合の指示機構の点灯色が異なることを特徴とする。
【００２０】
また本発明は、該組み合わせ計量機において、該指示機構の灯火は、ＬＥＤによることを特徴とする。
【００２１】
また本発明は、該組み合わせ計量機において、該選択された最適組み合わせ或いは近似値の範囲に包含される重量組み合わせの重量計測部位を示す指示機構は、音声によることを特徴とする。
【００２２】
また本発明は、該組み合わせ計量機において、該選択された最適組み合わせ或いは近似値の範囲に包含される重量組み合わせの重量計測部位を示す指示機構は、ブザー又はスピーカーであることを特徴とする。
【００２３】
また本発明は、該組み合わせ計量機において、規定重量範囲内の最適組み合わせが存在しない場合であって近似値の範囲に包含される重量組み合わせに係る組み合わせ重量を表示する表示機構は、デジタル表示装置であることを特徴とする。
【００２４】
また本発明は、複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップする組み合わせ計量機において、該計量皿は下段に配置される第一の計量皿と上段に配置される第二の計量皿を含む複数の計量皿で構成され、該第二の計量皿は、本体から分離して用いられることが可能であり、該第二の計量皿の着脱により通常の野菜等の計量及び少量或いは比較的軽量な野菜類や食品の計量を容易に切り替え可能としたことを特徴とする、組み合わせ計量機を用いた計量方法である。
【００２５】
また本発明は、複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップする組み合わせ計量機において、該計量皿は下段に配置される第一の計量皿と上段に配置される第二の計量皿を含む複数の計量皿で構成され、該組み合わせ計量機の夫々の計量部は計量素子としてロードセルを用い、該第一の計量皿及び該第二の計量皿を含む複数の計量皿を含む該組み合わせ計量機の夫々の計量部の計量部荷重は、計測対象となる物品を載置しない場合の計量部荷重及び計測対象となる物品の目的重量を加えた計量部荷重の範囲が該ロードセルの定格容量の５０％以上１００％以下となるように設定され、少量或いは比較的軽量な野菜類や食品の最適組み合わせを測定可能としたことを特徴とする、組み合わせ計量機を用いた計量方法である。
【００２６】
また本発明は、該組み合わせ計量機の夫々の計量部は計量素子としてロードセルを用い、該第一の計量皿及び該第二の計量皿を含む複数の計量皿を含む該組み合わせ計量機の夫々の計量部の計量部荷重は、計測対象となる物品を載置しない場合の計量部荷重及び計測対象となる物品の目的重量を加えた計量部荷重の範囲が該ロードセルの定格容量の７０％以上９５％以下となるようにしたことを特徴とする。
【００２７】
また本発明は、該第一及び第二の計量皿が、載置方向の前後何れかの方向に傾きを持って設置されていることを特徴とする。さらに本発明は、該第一及び第二の計量皿が載置方向の前後何れかの方向に傾きを持って設置され、且つ、傾斜の低い側の端面に立ち上がり部が設けられてなることを特徴とする。
【００２８】
また本発明は、該第二の計量皿が載置方向の両側面に立ち上がり部を有するものを用いたことを特徴とする。さらに本発明は、該第二の計量皿が両側が一方向に向かって幅が狭くなっていく形状を有するものを用いたことを特徴とする。
【００２９】
また本発明は、該組み合わせ計量機の計量皿が樹脂製であることを特徴とする。さらに本発明は、該第二の計量皿が合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されたことを特徴とする。
【００３０】
また本発明は、該組み合わせ計量機の計量部が一列に配置されてなり、且つ、各列の計量皿の両側に指示機構が備えられ、各計量皿に関する指示が両側に対して同時に行われることを特徴とする。
【００３１】
また本発明は、該組み合わせ計量機が、重量計測部位における測定重量データを取得し、該重量が規定重量以上であり且つ許容範囲内であることを計算する手段と、該重量が前記範囲内であることを示す指示機構を有し、該計量部は夫々計量皿部とロードセルによる計量部を含む本体部の連結部に防水構造を備えてなり、該連結部の防水構造は合成樹脂薄膜を備え、該合成樹脂薄膜は本体の計量皿側表面に接着剤で接着固定され、該合成樹脂薄膜の粘弾性により計量に影響を与えることなく防水機能を備えることを特徴とする。
【００３２】
また本発明は、該組み合わせ計量機において、該選択された最適組み合わせが存在しない場合、近似値の範囲に包含される重量組み合わせの重量計測部位を指示することを特徴とする。
【００３３】
また本発明は、該組み合わせ計量機において、該選択された最適組み合わせ或いは近似値の範囲に包含される重量組み合わせの重量計測部位を示す指示機構が灯火によるものであって、該選択された最適組み合わせの重量計測部位を示す場合は指示機構の灯火が連続点灯し、該近似値の範囲に包含される重量組み合わせの重量計測部位を示す場合は指示機構の灯火が点滅することを特徴とする。
【００３４】
また本発明は、該組み合わせ計量機において、該選択された最適組み合わせ或いは近似値の範囲に包含される重量組み合わせの重量計測部位を示す指示機構が多色に点灯する着色灯火であって、該選択された最適組み合わせの重量計測部位を示す場合の指示機構の点灯色と、該近似値の範囲に包含される重量組み合わせの重量計測部位を示す場合の指示機構の点灯色が異なることを特徴とする。
【００３５】
また本発明は、該組み合わせ計量機において、該指示機構の灯火は、ＬＥＤによることを特徴とする。
【００３６】
また本発明は、該組み合わせ計量機において、該選択された最適組み合わせ或いは近似値の範囲に包含される重量組み合わせの重量計測部位を示す指示機構は、音声によることを特徴とする。
【００３７】
また本発明は、該組み合わせ計量機において、該選択された最適組み合わせ或いは近似値の範囲に包含される重量組み合わせの重量計測部位を示す指示機構は、ブザー又はスピーカーであることを特徴とする。
【００３８】
また本発明は、該組み合わせ計量機において、規定重量範囲内の最適組み合わせが存在しない場合であって近似値の範囲に包含される重量組み合わせに係る組み合わせ重量を表示する表示機構は、デジタル表示装置であることを特徴とする。
【発明の効果】
【００３９】
本発明に係る組み合わせ計量機及び組み合わせ計量機を用いた計量方法は、簡素な構成で、１袋の重量が１０グラムから４０グラム程度の海産乾物や珍味等から１００グラムから３００グラム程度の量目となる例えばじゃがいもや玉ねぎなどまで、１台の装置で段取り替えなどを必要とせず対応することができ、作業効率を改善した組み合わせ計量機及びその組み合わせ計量機を用いた計量方法を実現し、もって社会に資することが出来る。
【図面の簡単な説明】
【００４０】
【図１】図１は、本発明に係る組み合わせ計量機の計量皿の例を示す図面代用写真である。
【図２】図２は、本発明に係る組み合わせ計量機の計量皿の、第二の計量皿を第一の計量皿から離す様子を例を示す図面代用写真である。
【図３】図３は、本発明に係る組み合わせ計量機の構成例を示す図面代用写真である。
【発明を実施するための形態】
【００４１】
本発明は、複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップする組み合わせ計量機において、該計量皿は下段に配置される第一の計量皿と上段に配置される第二の計量皿を含む複数の計量皿で構成され、該第二の計量皿は、載置された対象物品とともに本体から分離して用いられることを特徴とする、組み合わせ計量機である。
【００４２】
また本発明は、該組み合わせ計量機の夫々の計量部は計量素子としてロードセルを用い、該第一の計量皿及び該第二の計量皿を含む複数の計量皿を含む該組み合わせ計量機の夫々の計量部の計量部荷重は、計測対象となる物品を載置しない場合の計量部荷重及び計測対象となる物品の目的重量を加えた計量部荷重の範囲が該ロードセルの定格容量の５０％以上１００％以下となるようにしたことを特徴とする。さらに本発明は、該組み合わせ計量機の夫々の計量部は計量素子としてロードセルを用い、該第一の計量皿及び該第二の計量皿を含む複数の計量皿を含む該組み合わせ計量機の夫々の計量部の計量部荷重は、計測対象となる物品を載置しない場合の計量部荷重及び計測対象となる物品の目的重量を加えた計量部荷重の範囲が該ロードセルの定格容量の７０％以上９５％以下となるようにしたことを特徴とする。
【００４３】
また本発明は、該第一及び第二の計量皿が、載置方向の前後何れかの方向に傾きを持って設置されていることを特徴とする。さらに本発明は、該第一及び第二の計量皿が載置方向の前後何れかの方向に傾きを持って設置され、且つ、傾斜の低い側の端面に立ち上がり部が設けられてなることを特徴とする。
【００４４】
また本発明は、該第二の計量皿が載置方向の両側面に立ち上がり部を有するものを用いたことを特徴とする。さらに本発明は、該第二の計量皿が両側が一方向に向かって幅が狭くなっていく形状を有するものを用いたことを特徴とする。
【００４５】
また本発明は、該組み合わせ計量機の計量皿が樹脂製であることを特徴とする。さらに本発明は、該第二の計量皿が合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されたことを特徴とする。
【００４６】
また本発明は、該組み合わせ計量機の計量部が一列に配置されてなり、且つ、各列の計量皿の両側に指示機構が備えられ、各計量皿に関する指示が両側に対して同時に行われることを特徴とする。
【００４７】
また本発明は、該組み合わせ計量機が、重量計測部位における測定重量データを取得し、該重量が規定重量以上であり且つ許容範囲内であることを計算する手段と、該重量が前記範囲内であることを示す指示機構を有し、該計量部は夫々計量皿部とロードセルによる計量部を含む本体部の連結部に防水構造を備えてなり、該連結部の防水構造は合成樹脂薄膜を備え、該合成樹脂薄膜は本体の計量皿側表面に接着剤で接着固定され、該合成樹脂薄膜の粘弾性により計量に影響を与えることなく防水機能を備えることを特徴とする。
【００４８】
また本発明は、該組み合わせ計量機において、該選択された最適組み合わせが存在しない場合、近似値の範囲に包含される重量組み合わせの重量計測部位を指示することを特徴とする。
【００４９】
また本発明は、該組み合わせ計量機において、該選択された最適組み合わせ或いは近似値の範囲に包含される重量組み合わせの重量計測部位を示す指示機構が灯火によるものであって、該選択された最適組み合わせの重量計測部位を示す場合は指示機構の灯火が連続点灯し、該近似値の範囲に包含される重量組み合わせの重量計測部位を示す場合は指示機構の灯火が点滅することを特徴とする。
【００５０】
また本発明は、該組み合わせ計量機において、該選択された最適組み合わせ或いは近似値の範囲に包含される重量組み合わせの重量計測部位を示す指示機構が多色に点灯する着色灯火であって、該選択された最適組み合わせの重量計測部位を示す場合の指示機構の点灯色と、該近似値の範囲に包含される重量組み合わせの重量計測部位を示す場合の指示機構の点灯色が異なることを特徴とする。
【００５１】
また本発明は、該組み合わせ計量機において、該指示機構の灯火は、ＬＥＤによることを特徴とする。
【００５２】
また本発明は、該組み合わせ計量機において、該選択された最適組み合わせ或いは近似値の範囲に包含される重量組み合わせの重量計測部位を示す指示機構は、音声によることを特徴とする。
【００５３】
また本発明は、該組み合わせ計量機において、該選択された最適組み合わせ或いは近似値の範囲に包含される重量組み合わせの重量計測部位を示す指示機構は、ブザー又はスピーカーであることを特徴とする。
【００５４】
また本発明は、該組み合わせ計量機において、規定重量範囲内の最適組み合わせが存在しない場合であって近似値の範囲に包含される重量組み合わせに係る組み合わせ重量を表示する表示機構は、デジタル表示装置であることを特徴とする。
【００５５】
また本発明は、複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップする組み合わせ計量機において、該計量皿は下段に配置される第一の計量皿と上段に配置される第二の計量皿を含む複数の計量皿で構成され、該第二の計量皿は、本体から分離して用いられることが可能であり、該第二の計量皿の着脱により通常の野菜等の計量及び少量或いは比較的軽量な野菜類や食品の計量を容易に切り替え可能としたことを特徴とする、組み合わせ計量機を用いた計量方法である。
【００５６】
また本発明は、複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップする組み合わせ計量機において、該計量皿は下段に配置される第一の計量皿と上段に配置される第二の計量皿を含む複数の計量皿で構成され、該組み合わせ計量機の夫々の計量部は計量素子としてロードセルを用い、該第一の計量皿及び該第二の計量皿を含む複数の計量皿を含む該組み合わせ計量機の夫々の計量部の計量部荷重は、計測対象となる物品を載置しない場合の計量部荷重及び計測対象となる物品の目的重量を加えた計量部荷重の範囲が該ロードセルの定格容量の５０％以上１００％以下となるように設定され、少量或いは比較的軽量な野菜類や食品の最適組み合わせを測定可能としたことを特徴とする、組み合わせ計量機を用いた計量方法である。
【００５７】
また本発明は、該組み合わせ計量機の夫々の計量部は計量素子としてロードセルを用い、該第一の計量皿及び該第二の計量皿を含む複数の計量皿を含む該組み合わせ計量機の夫々の計量部の計量部荷重は、計測対象となる物品を載置しない場合の計量部荷重及び計測対象となる物品の目的重量を加えた計量部荷重の範囲が該ロードセルの定格容量の７０％以上９５％以下となるようにしたことを特徴とする。
【００５８】
また本発明は、該第一及び第二の計量皿が、載置方向の前後何れかの方向に傾きを持って設置されていることを特徴とする。さらに本発明は、該第一及び第二の計量皿が載置方向の前後何れかの方向に傾きを持って設置され、且つ、傾斜の低い側の端面に立ち上がり部が設けられてなることを特徴とする。
【００５９】
また本発明は、該第二の計量皿が載置方向の両側面に立ち上がり部を有するものを用いたことを特徴とする。さらに本発明は、該第二の計量皿が両側が一方向に向かって幅が狭くなっていく形状を有するものを用いたことを特徴とする。
【００６０】
また本発明は、該組み合わせ計量機の計量皿が樹脂製であることを特徴とする。さらに本発明は、該第二の計量皿が合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されたことを特徴とする。
【００６１】
また本発明は、該組み合わせ計量機の計量部が一列に配置されてなり、且つ、各列の計量皿の両側に指示機構が備えられ、各計量皿に関する指示が両側に対して同時に行われることを特徴とする。
【００６２】
また本発明は、該組み合わせ計量機が、重量計測部位における測定重量データを取得し、該重量が規定重量以上であり且つ許容範囲内であることを計算する手段と、該重量が前記範囲内であることを示す指示機構を有し、該計量部は夫々計量皿部とロードセルによる計量部を含む本体部の連結部に防水構造を備えてなり、該連結部の防水構造は合成樹脂薄膜を備え、該合成樹脂薄膜は本体の計量皿側表面に接着剤で接着固定され、該合成樹脂薄膜の粘弾性により計量に影響を与えることなく防水機能を備えることを特徴とする。
【００６３】
また本発明は、該組み合わせ計量機において、該選択された最適組み合わせが存在しない場合、近似値の範囲に包含される重量組み合わせの重量計測部位を指示することを特徴とする。
【００６４】
また本発明は、該組み合わせ計量機において、該選択された最適組み合わせ或いは近似値の範囲に包含される重量組み合わせの重量計測部位を示す指示機構が灯火によるものであって、該選択された最適組み合わせの重量計測部位を示す場合は指示機構の灯火が連続点灯し、該近似値の範囲に包含される重量組み合わせの重量計測部位を示す場合は指示機構の灯火が点滅することを特徴とする。
【００６５】
また本発明は、該組み合わせ計量機において、該選択された最適組み合わせ或いは近似値の範囲に包含される重量組み合わせの重量計測部位を示す指示機構が多色に点灯する着色灯火であって、該選択された最適組み合わせの重量計測部位を示す場合の指示機構の点灯色と、該近似値の範囲に包含される重量組み合わせの重量計測部位を示す場合の指示機構の点灯色が異なることを特徴とする。
【００６６】
また本発明は、該組み合わせ計量機において、該指示機構の灯火は、ＬＥＤによることを特徴とする。
【００６７】
また本発明は、該組み合わせ計量機において、該選択された最適組み合わせ或いは近似値の範囲に包含される重量組み合わせの重量計測部位を示す指示機構は、音声によることを特徴とする。
【００６８】
また本発明は、該組み合わせ計量機において、該選択された最適組み合わせ或いは近似値の範囲に包含される重量組み合わせの重量計測部位を示す指示機構は、ブザー又はスピーカーであることを特徴とする。
【００６９】
また本発明は、該組み合わせ計量機において、規定重量範囲内の最適組み合わせが存在しない場合であって近似値の範囲に包含される重量組み合わせに係る組み合わせ重量を表示する表示機構は、デジタル表示装置であることを特徴とする。
【００７０】
かかる構成及び使用方法により、本発明に係る組み合わせ計量機及び組み合わせ計量機を用いた計量方法は、簡素な構成で、１袋の重量が１０グラムから４０グラム程度の海産乾物や珍味等から１００グラムから３００グラム程度の量目となる例えばじゃがいもや玉ねぎなどまで、１台の装置で段取り替えなどを必要とせず対応することができ、作業効率を改善した組み合わせ計量機及びその組み合わせ計量機を用いた計量方法を実現することが出来た。
【００７１】
さらに本発明にかかる構成及び使用方法は、海産乾物や珍味等の計量対象においてもハンドリングがたやすく、作業効率を改善した組み合わせ計量機及びその組み合わせ計量機を用いた計量方法を実現することが出来た。
【００７２】
なお、本発明にかかる構成及び使用方法において、第二の計量皿の傾斜の低い側の端面及び両側面に立ち上がり部を有する形態の場合、漬物や明太子などの液体を含んだ計量対象物にも好適に対応することができる。
【実施例１】
【００７３】
図１は、本発明に係る組み合わせ計量機の計量皿の例を示す図面代用写真である。本発明に於いては計量皿は下段に配置される第一の計量皿１と上段に配置される第二の計量皿２を含む複数の計量皿で構成され、該第二の計量皿は、載置された対象物品とともに本体から分離して用いられるようにした。これにより、簡素な構成で、１袋の重量が１０グラムから４０グラム程度の海産乾物や珍味等から１００グラムから３００グラム程度の量目となる例えばじゃがいもや玉ねぎなどまで、１台の装置で段取り替えなどを必要とせず対応することができ、作業効率を改善した組み合わせ計量機及びその組み合わせ計量機を用いた計量方法を実現し、安定した計量が可能となった。
【００７４】
また、本実施例では図１に示されているように第一及び第二の計量皿が、載置方向の後方に傾きを持って設置され、且つ、両側の上端が外側に張り出した部分を有するものを用いた。これは、本発明の必須要件ではないが、かかる部分の存在により、海産乾物や珍味等の秤量対象においてもハンドリングがたやすく、さきいかなどの細長く小さいものも容易に計量できるとともに、漬物や明太子などの液体を含んだ秤量対象物にも好適に対応することができ、作業効率が向上するとともに計量正確性も向上した。
【００７５】
図２は、本発明に係る組み合わせ計量機の計量皿の、第二の計量皿を第一の計量皿から離す様子を例を示す図面代用写真である。このように、第一の計量皿と第二の計量皿が分離することで、秤量後の包装、収納作業が容易になるとともに、第二の計量皿の分の重量により測定素子であるロードセルへの負荷量を調整し、１台の装置で段取り替えなどを必要とせず簡素な構成で、１袋の重量が１０グラムから４０グラム程度の海産乾物や珍味等から１００グラムから３００グラム程度の量目となる例えばじゃがいもや玉ねぎなどまで対応することができ、作業効率を改善した組み合わせ計量機及びその組み合わせ計量機を用いた計量方法を実現することが出来る。即ち、第二の計量皿を取り除いて用いれば重量が大きい対象物に、第二の計量皿を用いれば微小な重量を測定する対象物であっても高精度の計量が可能となった。
【００７６】
ここで、計量機に用いるロードセルはその秤量精度が保証される重量範囲に制限があり、例えば数百グラムの野菜類に対応できるロードセルを備えた計量機の場合、数グラムの秤量に精度よく対応することは困難であったが、本発明に於いては第一の計量皿と第二の計量皿の併用により一台の組み合わせ計量機により広範囲の秤量対象に対応でき、且つ、安価な組み合わせ計量機が実現された。
【００７７】
図３は、本発明に係る組み合わせ計量機の構成例を示す図面代用写真である。本図は本発明にかかる構成の効果を確認する実験中の図であり、第二の計量皿は平板を用いている。本発明においては、該組み合わせ計量機の夫々の計量部は計量素子としてロードセルを用い、該第一の計量皿及び該第二の計量皿を含む複数の計量皿を含む該組み合わせ計量機の夫々の計量部の計量部荷重は、計測対象となる物品を載置しない場合の計量部荷重及び計測対象となる物品の目的重量を加えた計量部荷重の範囲が該ロードセルの定格容量の５０％以上１００％以下となるようにした。さらに、該組み合わせ計量機の夫々の計量部は計量素子としてロードセルを用い、該第一の計量皿及び該第二の計量皿を含む複数の計量皿を含む該組み合わせ計量機の夫々の計量部の計量部荷重は、計測対象となる物品を載置しない場合の計量部荷重及び計測対象となる物品の目的重量を加えた計量部荷重の範囲が該ロードセルの定格容量の７０％以上９５％以下となるようにすることがより望ましい。これにより、微小な重量を測定する対象物であっても高精度の計量が可能となった。
【００７８】
ここで、組み合わせ計量機の計量皿は樹脂製のものを用いた。これにより、軽量化と同時にコストダウン及び他の機能の付加が可能となり、自由度の向上に効果があった。ここで、該計量皿は、合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されてよい。
【００７９】
また本発明に於いては、組み合わせの計量部が一列に配置されてなり、且つ、各列の計量皿の両側に指示機構が備えられ、各計量皿に関する指示が両側に対して同時に行われるようにした。これにより、作業効率が向上する。
【００８０】
図２は、本発明に係る組み合わせ計量機の構成例を示す概念図である。本実施例に於いては、かかる構成に於いて前記の計量皿を装備し、葉物等の長さや幅のある野菜類や食品の載置を容易にした。これにより、簡素な構成で葉物等の長さや幅のある野菜類や食品の最適組み合わせを測定指示し、作業効率を改善した組み合わせ計量機及びその使用方法を実現できた。
【００８１】
また本発明は、該組み合わせ計量機は、重量計測部位における測定重量データを取得し、該重量が規定重量以上であり且つ許容範囲内であることを計算する手段と、該重量が前記範囲内であることを示す指示機構を有し、該計量部は夫々計量皿部とロードセルによる計量部を含む本体部の連結部に防水構造を備えてなり、該連結部の防水構造は合成樹脂薄膜を備え、該合成樹脂薄膜は本体の計量皿側表面に接着剤で接着固定され、該合成樹脂薄膜の粘弾性により計量に影響を与えることなく防水機能を備えることができる。これにより、漬物や明太子などの液体を含んだ秤量対象物の計量に於いても信頼性が向上し、作業効率も改善する。
【００８２】
また本発明に於いては、該組み合わせ計量機において、該選択された最適組み合わせ或いは近似値の範囲に包含される重量組み合わせの重量計測部位を示す指示機構が灯火によるものであって、該選択された最適組み合わせの重量計測部位を示す場合は指示機構の灯火が連続点灯し、該近似値の範囲に包含される重量組み合わせの重量計測部位を示す場合は指示機構の灯火が点滅することも有効である。
【００８３】
また本発明に於いては、該組み合わせ計量機において、該選択された最適組み合わせ或いは近似値の範囲に包含される重量組み合わせの重量計測部位を示す指示機構が多色に点灯する着色灯火であって、該選択された最適組み合わせの重量計測部位を示す場合の指示機構の点灯色と、該近似値の範囲に包含される重量組み合わせの重量計測部位を示す場合の指示機構の点灯色が異なるようにすることも良い。
【００８４】
本実施例に於いては、指示機構の灯火は、ＬＥＤによるものとしたが、灯火はその他の発光素子を用いても問題ない。
【００８５】
また本発明に於いては、該組み合わせ計量機において、該選択された最適組み合わせ或いは近似値の範囲に包含される重量組み合わせの重量計測部位を示す指示機構は、音声によるものでもよく、ブザー又はスピーカーが好適に用いられる。
【００８６】
また本発明に於いては、該組み合わせ計量機において、規定重量範囲内の最適組み合わせが存在しない場合であって近似値の範囲に包含される重量組み合わせに係る組み合わせ重量を表示するようにしてもよい。
【００８７】
また本発明に於いては、該組み合わせ計量機において、規定重量範囲内の最適組み合わせが存在しない場合であって近似値の範囲に包含される重量組み合わせに係る組み合わせ重量を表示する表示機構は、デジタル表示装置を用いることができる。
【００８８】
本発明に係る組み合わせ計量機及び組み合わせ計量機を用いた計量方法は、簡素な構成で、１袋の重量が１０グラムから４０グラム程度の海産乾物や珍味等から１００グラムから３００グラム程度の量目となる例えばじゃがいもや玉ねぎなどまで、１台の装置で段取り替えなどを必要とせず対応することができ、作業効率を改善した組み合わせ計量機及びその組み合わせ計量機を用いた計量方法を実現出来た。
【産業上の利用可能性】
【００８９】
本発明に係る組み合わせ計量機及び組み合わせ計量機を用いた計量方法は、簡素な構成で、１袋の重量が１０グラムから４０グラム程度の海産乾物や珍味等から１００グラムから３００グラム程度の量目となる例えばじゃがいもや玉ねぎなどまで、１台の装置で段取り替えなどを必要とせず対応することができ、作業効率を改善した組み合わせ計量機及びその組み合わせ計量機を用いた計量方法を実現し、産業上の利用可能性は大である。
【００９０】
さらに本発明に係る組み合わせ計量機及び組み合わせ計量機を用いた計量方法は、海産乾物や珍味等の秤量対象においてもハンドリングがたやすく、作業効率を改善した組み合わせ計量機及びその組み合わせ計量機を用いた計量方法を実現することが出来た。また、第二の計量皿の傾斜の低い側の端面及び両側面に立ち上がり部を有する形態の場合、漬物や明太子などの液体を含んだ秤量対象物にも好適に対応することが出来、組み合わせ計量機の用途を広げ、産業上の利用可能性は大である。
【符号の説明】
【００９１】
１    第一の計量皿
２    第二の計量皿
３    組み合わせ計量機
【図１】
2018105677.tif 000003
【図２】
2018105677.tif 000004
【図３】
2018105677.tif 000005